【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
第１マウント部を有するカメラ本体に対して着脱可能なアクセサリであって、
前記アクセサリを前記カメラ本体に装着した際に前記第１マウント部と係合する第２マウント部と、
前記アクセサリを前記カメラ本体に装着した際に前記カメラ本体と接触することが可能な弾性部材と、
前記弾性部材を保持する筒部材と、を有し、
前記筒部材には、前記アクセサリを前記カメラ本体に装着した際に前記弾性部材の一部が入ることが可能な凹部が設けられている、
ことを特徴とするアクセサリ。
【請求項２】
前記凹部は環状凹部であって、前記環状凹部の内径は、前記第２マウント部の外径よりも大きい、
ことを特徴とする請求項１に記載のアクセサリ。
【請求項３】
前記凹部は環状凹部であって、前記環状凹部の外径は、前記弾性部材の外径よりも小さい、
ことを特徴とする請求項１または２に記載のアクセサリ。
【請求項４】
前記第２マウント部の前記筒部材側の面が切削あるいは研磨されている、
ことを特徴とする請求項１乃至３のいずれか一項に記載のアクセサリ。
【請求項５】
前記アクセサリが前記カメラ本体から取り外されている際に前記凹部の底面から前記弾性部材が離れている、
ことを特徴とする請求項１乃至４のいずれか一項に記載のアクセサリ。
【請求項６】
前記アクセサリを前記カメラ本体に装着した際に前記凹部の底面に前記弾性部材が接触する、
ことを特徴とする請求項１乃至５のいずれか一項に記載のアクセサリ。
【請求項７】
前記アクセサリが前記カメラ本体から取り外されている際に前記凹部の底面に前記弾性部材の第１部分が接触している、
ことを特徴とする請求項１乃至４のいずれか一項に記載のアクセサリ。
【請求項８】
前記アクセサリが前記カメラ本体から取り外されている際に前記凹部の底面から前記弾性部材の第２部分が離れており、
前記アクセサリを前記カメラ本体に装着した際に前記凹部の底面に前記第１部分及び前記第２部分が接触する、
ことを特徴とする請求項７に記載のアクセサリ。
【請求項９】
前記アクセサリを前記カメラ本体に装着した際に前記弾性部材が前記カメラ本体に設けられた金属部材に接触する、
ことを特徴とする請求項１乃至８のいずれか一項に記載のアクセサリ。
【請求項１０】
前記凹部には前記筒部材の内部あるいは外部に貫通する貫通部を有する、
ことを特徴とする請求項１乃至９のいずれか一項に記載のアクセサリ。
【請求項１１】
前記アクセサリの光軸に直交する断面における、前記凹部の径方向の長さは、前記弾性部材が前記筒部材によって保持されている位置の径方向の長さよりも短いことを特徴とする請求項１乃至１０のいずれか一項に記載のアクセサリ。
【請求項１２】
前記アクセサリは複数のレンズを有するレンズ装置である、
ことを特徴とする請求項１乃至１１のいずれか一項に記載のアクセサリ。
【請求項１３】
前記アクセサリは複数のレンズを有するレンズ装置と前記カメラ本体との間に装着可能なアダプタである、
ことを特徴とする請求項１乃至１１のいずれか一項に記載のアクセサリ。
【請求項１４】
前記カメラ本体と、
請求項１２に記載のアクセサリと、を備える、
ことを特徴とする撮像装置。
【請求項１５】
前記カメラ本体と、
前記レンズ装置と、
請求項１３に記載のアクセサリと、を備える、
ことを特徴とする撮像装置。
【手続補正２】
【補正対象書類名】明細書
【補正対象項目名】０００７
【補正方法】変更
【補正の内容】
【０００７】
上記の目的を達成するために本発明のアクセサリは、
第１マウント部を有するカメラ本体に対して着脱可能なアクセサリであって、
前記アクセサリを前記カメラ本体に装着した際に前記第１マウント部と係合する第２マウント部と、
前記アクセサリを前記カメラ本体に装着した際に前記カメラ本体と接触することが可能な弾性部材と、
前記弾性部材を保持する筒部材と、を有し、
前記筒部材には、前記アクセサリを前記カメラ本体に装着した際に前記弾性部材の一部が入ることが可能な凹部が設けられている、
ことを特徴とする。
【手続補正３】
【補正対象書類名】明細書
【補正対象項目名】００１４
【補正方法】変更
【補正の内容】
【００１４】
レンズマウント１１とレンズ鏡筒１４の位置決めと固定について説明する。レンズマウント１１は、レンズ鏡筒１４をスラスト方向（光軸方向）に位置決めするレンズ鏡筒当接面（取付面１１ｄ）を有している。レンズ鏡筒１４には、レンズマウント１１をスラスト方向に位置決めするレンズマウント当接面１４ａを有している。レンズ鏡筒当接面（取付面１１ｄ）をレンズマウント当接面１４ａに当接させた状態で、レンズマウント１１を不図示のビスでレンズ鏡筒１４に固定することで、レンズマウント１１とレンズ鏡筒１４の位置決めと固定を行うことができる。
【手続補正４】
【補正対象書類名】明細書
【補正対象項目名】００１７
【補正方法】変更
【補正の内容】
【００１７】
この結果、環状弾性部材１２の光軸方向の位置は、環状弾性部材１２の把持部１２ｂが光軸方向において、外装環１３の環状弾性部材側当接面１３ａとレンズマウント１１の取付面１１ｄとで圧縮して挟まれることにより決まる。一方、環状弾性部材１２の径方向の位置は、外装環１３の内周面１３ｂとレンズマウント１１の側周面１１ｅとで挟まれることにより決まる。より詳細には、環状弾性部材１２が光軸方向において環状弾性部材側当接面１３ａとレンズマウント１１の取付面１１ｄとで圧縮して挟まれる結果、環状弾性部材１２が径方向に広がる。そして、環状弾性部材１２が径方向において内周面１３ｂと側周面１１ｅとで挟まれることになる。
【手続補正５】
【補正対象書類名】明細書
【補正対象項目名】００４７
【補正方法】変更
【補正の内容】
【００４７】
図４及び図５に示すように、環状空隙部２５の光軸直交方向の幅は環状弾性部材２２の光軸直交方向の幅と同じである。そして、図４に示すように、交換レンズ２０がカメラ本体１００から取り外されている際には、環状空隙部２５の底面に環状弾性部材２２の一部（第１部分）２２ｂが接触している。より詳細には、交換レンズ２０がカメラ本体１００から取り外されている際には、環状弾性部材２２の当接面２２ｃが、環状空隙部２５の底面の一部である外装環２３の弾性部材当接面２３ａに接触している。
【手続補正６】
【補正対象書類名】明細書
【補正対象項目名】００４８
【補正方法】変更
【補正の内容】
【００４８】
そして、図５に示すように、交換レンズ２０がカメラ本体１００に装着されている際には、環状空隙部２５の底面に環状弾性部材２２の一部（第１部分）２２ｂに加えて、環状弾性部材２２の一部（第２部分）２２ｄも接触する。より詳細には、交換レンズ２０がカメラ本体１００に装着されている際には、当接面２２ｃが当接面２３ａに当接する。そして、環状弾性部材２２の当接面２２ｄが、環状空隙部２５の底面の一部である外装環２３の弾性部材当接面２３ｂに接触している。
【手続補正７】
【補正対象書類名】図面
【補正対象項目名】図４
【補正方法】変更
【補正の内容】
【図４】
2020027162.tif 000001
【手続補正８】
【補正対象書類名】図面
【補正対象項目名】図５
【補正方法】変更
【補正の内容】
【図５】
2020027162.tif 000002